(57)【要約】【課題】電池の交換回数を削減することができるＩＤタグ、靴、ＩＤタグシステム及びＩＤ情報送信方法を提供すること【解決手段】本発明にかかるＩＤタグは、靴に設けられるＩＤタグであって、歩行において前記靴にかかる圧力に応じて電流を発生する圧電素子と、前記圧電素子から生じた電流により充電が行われる充電池と、ＩＤ情報を保持するＩＤ情報保持回路と、前記靴の外部に設けられ、前記充電池からの電力に応じて前記ＩＤ情報保持回路に保持されたＩＤ情報を無線送信するアンテナと、を備える。【選択図】図１
2014230062.tif 000002
【特許請求の範囲】
【請求項１】
靴に設けられるＩＤタグであって、
歩行において前記靴にかかる圧力に応じて電流を発生する圧電素子と、
前記圧電素子から生じた電流により充電が行われる充電池と、
ＩＤ情報を保持するＩＤ情報保持回路と、
前記靴の外部に設けられ、前記充電池からの電力に応じて前記ＩＤ情報保持回路に保持されたＩＤ情報を無線送信するアンテナと、を備える
ＩＤタグ。
【請求項２】
前記圧電素子は前記靴の中敷きに内蔵される、
請求項１に記載のＩＤタグ。
【請求項３】
前記靴の外部に固定された固定バンドを備え、当該固定バンドは前記アンテナを内蔵する、
請求項２に記載のＩＤタグ。
【請求項４】
前記充電池は前記中敷きに内蔵され、前記充電池と前記アンテナとは、取り外し可能な電源ケーブルにより接続されている、
請求項３に記載のＩＤタグ。
【請求項５】
前記充電池は前記中敷きの後端部に内蔵される、
請求項４に記載のＩＤタグ。
【請求項６】
前記固定バンドは前記靴から脱着可能である、
請求項３ないし５のいずれか一項に記載のＩＤタグ。
【請求項７】
前記固定バンドは、収縮性のある樹脂材料で形成される、
請求項３ないし６のいずれか一項に記載のＩＤタグ。
【請求項８】
請求項１ないし７のいずれか一項に記載のＩＤタグを備えた靴。
【請求項９】
請求項１ないし７のいずれか一項に記載のＩＤタグと、
前記ＩＤタグから無線送信された前記ＩＤ情報を受信する受信装置と、を備えた
ＩＤタグシステム。
【請求項１０】
靴に設けられるＩＤタグのＩＤ情報送信方法であって、
予めＩＤ情報を保持するステップと、
歩行において前記靴にかかる圧力に応じて電流を発生するステップと、
発生した電流により充電を行うステップと、
前記靴の外部に設けられたアンテナにより、充電された電力に応じて予め保持されたＩＤ情報を無線送信するステップと、を備える
ＩＤ情報送信方法。
【発明の詳細な説明】
【技術分野】
【０００１】
本発明はＩＤタグ、靴、ＩＤタグシステム及びＩＤ情報送信方法に関する。
【背景技術】
【０００２】
児童が通学途中に事件に巻き込まれていないかを確認するために、ＩＣ（Integrated Circuit）タグを利用した児童の登下校の監視を行うシステムが開発されている。
【０００３】
図８は、関連技術にかかるアクティブタグを利用した登下校管理システムの構成を示すブロック図である。登下校管理システム１００は、児童の登下校の状態をチェックするシステムである。アクティブタグ２００は小型のタグであり、児童が所持している。リーダ３００は、アクティブタグ２００からの信号を読み取る機械であり、例えば学校の校門付近に設置されている。
【０００４】
アクティブタグ２００は、主な構成要素として制御部２０１を備える。制御部２０１は、アンテナ（ＡＮＴ）２０２、ＲＦ（Radio Frequency）回路２０３、制御回路２０４及び電池２０５を有する。
【０００５】
アンテナ２０２は、リーダ３００のＡＮＴ３０２と無線通信を実行する。ＲＦ回路２０３は、電池２０５から供給された電力により、制御回路２０４に格納された情報を無線通信により送信する形式の情報に変換してアンテナ２０２に出力する。アンテナ２０２は、その情報をＡＮＴ３０２に無線で送信する。
【０００６】
リーダ３００は、ＡＮＴ３０２が受信したアクティブタグ２００の情報を制御回路３０１に出力する。制御回路３０１は、その情報を登下校管理システム１００に出力する。この情報により、登下校管理システム１００は、児童が登校又は下校したことを検出する。
【０００７】
図８に示した登下校管理システム１００は、次のようにして児童の登校、下校のデータを管理する。児童の登校又は下校時に、アクティブタグ２００を所持した児童が、校門付近に設置したリーダ３００に接近する。リーダ３００のＡＮＴ３０２は、アクティブタグ２００が定期的にアンテナ３０２から発信する微弱な無線通信の情報を検出する。制御回路３０１は、ＡＮＴ３０２が受信したアクティブタグ２００が発信する情報を登下校管理システム１００に伝達する。登下校管理システム１００は、情報を受信することにより、児童の登校、下校のデータを管理する。
【０００８】
他の登下校管理システムの例としては、特許文献１が挙げられる。特許文献１には、読み取りゲートから出力された無線信号により電力を発生させ、その電力により起動してＩＣタグ情報を発信するパッシブ型のＩＣタグ装置が開示されている。
【先行技術文献】
【特許文献】
【０００９】
【特許文献１】特開２００７−２６４７２３号公報
【発明の概要】
【発明が解決しようとする課題】
【００１０】
図８に示した関連技術のアクティブタグ２００は、電池２０５からの電力で定期的に無線通信を実施しているため、電池２０５の電力は消費し続けられてしまう。そのため、電池２０５がある期間以上使用されると、電池２０５の残電力ではアクティブタグ２００の無線通信が不可能となる。これにより、登下校管理システム１００でアクティブタグ２００を所持する児童の登校、下校を把握できなくなってしまい、登下校時の児童の事故や事件への巻き込まれの察知が遅れてしまう。このため、電池２０５の残電力を監視し、定期的に電池２０５を交換する管理が必要であった。
【００１１】
特許文献１にかかるＩＣタグ装置は、パッシブ型の信号発信装置であり、電池を用いていないため、関連技術とは前提となる技術が異なる。
【００１２】
本発明は、このような問題点を解決するためになされたものであり、電池の交換回数を削減することができるＩＤタグ、靴、ＩＤタグシステム及びＩＤ情報送信方法を提供することを目的とする。
【課題を解決するための手段】
【００１３】
本発明の第１の態様は、靴に設けられるＩＤタグを含む。このＩＤタグは、歩行において前記靴にかかる圧力に応じて電流を発生する圧電素子と、前記圧電素子から生じた電流により充電が行われる充電池と、ＩＤ情報を保持するＩＤ情報保持回路と、前記靴の外部に設けられ、前記充電池からの電力に応じて前記ＩＤ情報保持回路に保持されたＩＤ情報を無線送信するアンテナと、を備える。
【００１４】
本発明の第２の態様は、靴に設けられるＩＤタグのＩＤ情報送信方法を含む。このＩＤ情報送信方法は、以下のステップ（ａ）〜（ｄ）をＩＤタグに実行させる。
（ａ）予めＩＤ情報を保持すること、
（ｂ）歩行において前記靴にかかる圧力に応じて電流を発生すること、
（ｃ）発生した電流により充電を行うこと、及び
（ｄ）前記靴の外面に設けられたアンテナにより、充電された電力に応じて予め保持されたＩＤ情報を無線送信すること。
【発明の効果】
【００１５】
本発明により、電池の交換回数を削減することができるＩＤタグ、靴、ＩＤタグシステム及びＩＤ情報送信方法を提供することができる。
【図面の簡単な説明】
【００１６】
【図１】実施の形態１にかかるＩＤタグの構成の一例を示すブロック図である。
【図２】実施の形態２にかかるアクティブタグの構成の一例を示すブロック図である。
【図３】実施の形態２にかかる圧電回路の構成の一例を示すイメージ図である。
【図４Ａ】実施の形態２にかかる中敷きの構成の一例を示すイメージ図である。
【図４Ｂ】実施の形態２にかかる固定バンド部の構成の一例を示すブロック図である。
【図５】実施の形態２にかかる中敷き、靴及び固定バンド部の接続の一例を示すイメージ図である。
【図６】実施の形態２において固定バンド部が靴の外側に装着されたときの靴の外観の一例を示すイメージ図である。
【図７】実施の形態２にかかるアクティブタグを利用したＩＤタグシステムの構成例を示すブロック図である。
【図８】関連技術にかかるアクティブタグを利用した登下校管理システムの構成を示すブロック図である。
【発明を実施するための形態】
【００１７】
実施の形態１
以下、図面を参照して本発明の実施の形態について説明する。図１は、実施の形態１にかかるＩＤタグの構成の一例を示すブロック図である。
【００１８】
ＩＤ（IDentification）タグ１は、靴に設けられるＩＤタグであり、通信時に電池に蓄えられた電力で電波を発する。ＩＤタグ１は、いわゆるアクティブタグ又はセミアクティブタグである。例えば、ＩＤタグ１は常に電波を発していてもよいし、間欠的に電波を発信してもよい。後者の一例として、ＩＤタグ１は、タグに内蔵する時計などにより、一定時間ごとに通信を行い、それ以外の時間帯は休止することにより、間欠的に電波を発信して、電力の消費を抑えることができる自己通信型のタグであってもよい。あるいは、ＩＤタグ１は、通信の起動を自ら行わずにリーダからの呼出しを待つか、あるいはタグ自身に備わったスイッチなどの情報で通信を開始する待受通信型のタグであってもよい。
【００１９】
ＩＤタグ１は、圧電素子２、充電池３、ＩＤ情報保持回路４、アンテナ（ＡＮＴ）５を備える。圧電素子２は、ＩＤタグ１が備えられた靴のユーザの歩行において、靴にかかる圧力に応じて電流を発生する。圧電素子２は、例えば靴の中敷きや中底、靴の裏（ソール）など、ユーザの足裏と地面との間にある部分に設けることができる。そのような箇所に圧電素子２を設けることにより、歩行（特に地面と人の足裏との接触）において、ユーザの足裏と地面との間にかかる圧力が圧電素子にかかるからである。
【００２０】
充電池３は、圧電素子２から生じた電流により充電が行われる。充電池３は、ニッケル・水素充電池、ニッケル・カドミウム蓄電池、リチウムイオン二次電池などの二次電池である。
【００２１】
ＩＤ情報保持回路４は、ＩＤタグ１が設けられた靴のユーザに関するＩＤ情報を保持するＩＣである。
【００２２】
アンテナ５は、靴の外部に設けられ、充電池３からの電力に応じてＩＤ情報保持回路４に保持されたＩＤ情報を無線送信するアンテナである。ＩＤタグ１のリーダは、アンテナ５からＩＤ情報を受信して、ユーザの安否に関する情報等を管理する。
【００２３】
アンテナ５は、例えば靴のアッパー（靴における靴底以外の部位）に設けられる。ここでアンテナ５は、単に靴のアッパーに取り付けられてもよいし、靴を覆うシューズバンドにより靴に固定されてもよい。あるいは、靴を覆うシューズバンド内にアンテナ５が設けられてもよい。
【００２４】
以下、ＩＤタグ１のＩＤ情報送信方法について説明する。
１．ＩＤタグ１は、予めＩＤ情報をＩＤ情報保持回路４に保持する。
２．ユーザが靴を履いて歩行したとき、圧電素子２は、歩行において靴にかかる圧力に応じて電流を発生する。
３．充電池３は、圧電素子２から生じた電流により充電を行う。
４．靴の外部に設けられたアンテナ５により、充電池３に充電された電力に応じて予め保持されたＩＤ情報を無線送信する。
【００２５】
以上に説明したＩＤタグ１は、ユーザの歩行に応じて無線通信に必要な電力が充電される。そのため、充電がなされない場合と比較して、電池の交換回数を削減することができる。
【００２６】
なお、ＩＤタグ１は、ＩＤタグ１から無線送信されたＩＤ情報を受信する受信装置とＩＤタグシステムを構成してもよい。
【００２７】
実施の形態２
以下、図面を参照して本発明の実施の形態について説明する。図２は、実施の形態２にかかるアクティブタグの構成の一例を示すブロック図である。
【００２８】
アクティブタグ１０は靴に脱着可能なＩＤタグであり、大きく分けて電池部１１、制御部１２及びそれらを接続するコネクタ１６を備える。ここで電池部１１は靴の中敷きに内蔵され、制御部１２は靴の側面の固定バンド部に内蔵されている。
【００２９】
電池部１１は、圧電回路１３及び蓄電器１４を備える。圧電回路１３は、ユーザの歩行により足裏から中敷きにかかる圧力に応じて電流を発生する。
【００３０】
図３は、圧電回路１３の構成の一例を示すブロック図である。圧電回路１３は、圧電性素子部２０（圧電素子）及び整流部２１を有する。圧電性素子部２０は、ユーザの歩行動作の加圧による加圧変形（収縮）によって電流を発生する素子であり、例えばピエゾ素子である。なお、図３の圧電性素子部２０における点線は、圧電性素子部２０に加圧があったときの変形イメージを示したものである。
【００３１】
整流部２１は、圧電性素子部２０からの電流を整流して蓄電器１４へ出力する。整流部２１は、例えばダイオードなどにより構成される。
【００３２】
以下、図２に戻り説明を続ける。蓄電器１４（充電池）は、整流部２１が整流した圧電性素子部２０からの電流を蓄電するとともに、電力を電源ケーブル１５、コネクタ１６を介して制御部１２に出力する。換言すれば、蓄電器１４は、制御部１２の電力源である。蓄電器１４の具体例は上述した通りである。
【００３３】
電源ケーブル１５は、電池部１１とコネクタ１６とを接続するケーブルであり、蓄電器１４から制御部１２への電源供給を行う。ここで電源ケーブル１５は、コネクタ１６からの取り外しが可能なケーブルである。そのため、蓄電器１４の蓄電は、圧電回路１３からの電流によるものだけではなく、商用電力（例えば家庭のコンセント）などからも可能である。
【００３４】
コネクタ１６は、制御部１２と電池部１１とを接続するとともに、電源ケーブル１５から供給された電力を制御部１２の各部（ＲＦ回路１７、制御回路１８及びアンテナ１９）に供給する。
【００３５】
制御部１２は、ＲＦ回路１７、制御回路１８及びアンテナ１９を備える。ＲＦ回路１７は、制御回路１８に格納されたＩＤ情報に基づいて高周波の搬送波を変調し、無線信号を生成する。
【００３６】
制御回路１８は、ＲＦ回路１７及びアンテナ（ＡＮＴ）１９の動作を制御する回路であるとともに、リーダに送信するＩＤ情報を保持するＩＤ情報保持回路としての機能も有する。なお、ＩＤ情報は、靴のユーザの氏名、住所、所属する組織（例えば所属する学校）といった、ユーザの個人情報である。制御回路１８は、このＩＤ情報をＲＦ回路１７に出力する。
【００３７】
アンテナ１９は、ＲＦ回路１７から出力された信号を無線で送信する。無線通信の方法は、例えば一般のＲＦＩＤ（Radio Frequency IDentification）によるものと同様である。
【００３８】
なお、圧電回路１３と蓄電器１４の間、コネクタ１６と制御部１２の間及び制御部１２の各部の間は、信号や電力を伝達可能な導線で接続されている。
【００３９】
図４Ａは、電池部１１が備えられる中敷きの構成の一例を示すイメージ図である。図４Ａの上側に中敷きの上面図、下側には中敷きの側面図を示している。中敷き３０は人の足裏（靴底）全体をカバーする形状であり、靴と人の足裏との間に設けられる。中敷き３０の前部、特に人の足裏の踏み付け部には、圧電回路１３が内蔵されている。中敷き３０のこの場所に圧電回路１３を内蔵することにより、人が歩行して地面に足が着く際に、圧電回路１３に圧力が掛かる。これにより、圧電回路１３は蓄電器１４が蓄電するための電流を発生する。なお、ここでは、人の歩行方向を前と定義して説明する。
【００４０】
蓄電器１４は、中敷き３０の後端部（人のかかと下方の部分）に内蔵されている。蓄電器１４は、圧電回路１３が発生した電流により蓄電をする。蓄電器１４からは電源ケーブル１５が飛び出ており、蓄電器１４は電源ケーブル１５に電力を出力する。
【００４１】
図４Ｂは、制御部１２が備えられる固定バンド部の構成の一例を示すイメージ図である。図４Ｂの上側に固定バンド部の上面図、下側には固定バンド部の側面図を示している。固定バンド部３１は靴の外部に固定されるバンドであり、収縮性のある樹脂材料により構成される。固定バンド部３１は、靴の外縁部及びかかとの部分を覆う。固定バンド部３１は、靴の外形に嵌め込むことが可能な形状である。また、固定バンド部３１は収縮性があるため、歩行により靴から容易に脱げてしまうことを防ぐことができる。
【００４２】
固定バンド部３１において、コネクタ１６はかかと上方の部分に内蔵され、制御部１２は後端部（人のかかと下方の部分）に内蔵されている。なおコネクタ１６は制御部１２よりも上方に位置する。コネクタ１６は電源ケーブル１５からの電力を制御部１２に供給する。制御部１２は供給された電力に基づいて、ＩＤ情報を無線送信する。
【００４３】
図５は、中敷き、靴及び固定バンド部の接続の一例を示すイメージ図である。図５では、中敷き３０が靴３２の内部に装着されている。電源ケーブル１５は、上述の通り、中敷き３０内の蓄電器１４と固定バンド部３１内のコネクタ１６とを接続している。電源ケーブル１５は取り外しが可能なケーブルであるため、ユーザは中敷き３０を固定バンド部３１から自由に脱着することができる。そのため、中敷き３０と固定バンド部３１のいずれかを、自由に新しいものに交換することができる。
【００４４】
さらに、ユーザは靴３２から中敷き３０を自由に脱着するとともに、靴３２から固定バンド部３１を自由に脱着することができる。つまり、ユーザは靴３２からアクティブタグ１０を自由に脱着することができる。
【００４５】
図６は、固定バンド部３１が靴３２の外側に装着されたときの、靴３２の外観の一例を示すイメージ図である。固定バンド部３１は靴３２に固定されているため、ユーザの歩行において固定バンド部３１が支障になることはない。この靴３２は、実施の形態２にかかるアクティブタグ１０を備えた靴であるともいえる。
【００４６】
上述の通り、蓄電器１４は中敷き３０のかかと下方の部分に内蔵され、コネクタ１６は固定バンド部３１のかかと上方の部分に内蔵されている。つまり、両者ともに人の足の後ろに位置しているため、電源ケーブル１５が接続しなければならない距離は短い。さらに、電源ケーブル１５は靴３２の後端部（人のかかとの部分）にのみ設けられればよいため、電源ケーブル１５が前に設けられるのに比較すると、ユーザが歩行で足を動かすのに電源ケーブル１５は支障になりにくい。
【００４７】
図７は、アクティブタグを利用したＩＤタグシステムの構成例を示すブロック図である。ＩＤタグシステム９０は、アクティブタグ１０、リーダ４０及び登下校管理システム５０を備える。このように、アクティブタグ１０は、例えば児童の登下校の管理をするのに用いることができる。
【００４８】
リーダ４０は、アクティブタグ１０からの信号を読み取る受信装置であり、例えば学校の校門付近に設置されている。リーダ４０は、アンテナ（ＡＮＴ）４１及び制御回路４２を備える。アンテナ４１は、制御部１２のアンテナ１９から出力された無線信号を受信し、制御回路４２に出力する。制御回路４２は、アンテナ４１が出力した無線信号から、制御回路１８のＩＤ情報を取り出し、登下校管理システム５０に出力する。
【００４９】
登下校管理システム５０は、制御回路１８が抽出したＩＤ情報に基づいて、靴３２のユーザである児童が登校又は下校したことを検出する。
【００５０】
図７に示したＩＤタグシステム９０は、例えば次のように動作する。児童の登校又は下校時に、アクティブタグ１０を靴３２に装着した児童が、校門付近に設置したリーダ４０に接近する。リーダ４０のアンテナ４１は、アクティブタグ１０が定期的に発信する微弱な無線通信の情報を検出する。制御回路４２は、アンテナ４１が受信したアクティブタグ１０が発信する情報を登下校管理システム５０に伝達する。登下校管理システム５０は、情報を受信することにより、児童の登校、下校のデータを管理する。
【００５１】
ここで、アクティブタグ１０は児童の靴３２に装着されている。そのため、児童の歩行による足の上げ下げによって、中敷き３０に内蔵されている圧電回路１３内の圧電性素子部２０への加圧による、圧電性素子部２０の加圧変形が繰り返される。
【００５２】
児童の足の上げ下げ動作（歩行動作）が続く間は、圧電性素子部２０から発生する電流は整流部２１で整流され、蓄電器１４へ出力され続ける。蓄電器１４はその電流により蓄電を行うため、制御部１２が駆動し続ける為の電力は蓄電器１４から供給され続ける。つまり、児童が歩行している場合には、アクティブタグ１０は、自身の駆動に必要な電力を常に蓄電できる。これにより、アクティブタグ１０が電力不足によりリーダ４０との無線通信ができなくなる可能性を低くすることができる。そのため、アクティブタグ１０は、登下校管理システム５０がアクティブタグ１０を所持する児童の登校下校を、より確実に把握可能にできるという効果を奏する。
【００５３】
図８においては、電池２０５を電力源として駆動するアクティブタグ２００を利用する登下校管理システム１００は、電池２０５の電力低下に伴い児童の登下校を検出することができなくなっていた。これにより、登下校時の児童の事故、事件への巻き込まれの察知が遅れてしまうという問題があった。従って、電池２０５の残電力を監視し、定期的に電池２０５を交換する管理が必要であった。しかしながら、実施の形態２にかかるアクティブタグ１０は、そのような管理の手間を省くことができる。
【００５４】
さらに、実施の形態２にかかるアクティブタグ１０は以下の効果も奏する。
【００５５】
圧電性素子部２０は中敷き３０に内蔵することができる。このため、靴３２に圧電性素子部２０を取り付けるという手間が必要なく、歩行によって蓄電器１４への電力供給をすることができる。さらに、ユーザ側が意識する事無く歩行するだけで、蓄電器１４へ蓄電する事ができる。なお、ユーザが意識せずに自然に歩行するためには、蓄電器１４も中敷き３１に内蔵する構成にした方が望ましい。
【００５６】
アクティブタグ１０は、靴３２の外部に固定された固定バンド部３１を備え、固定バンド部３１はアンテナ１９を内蔵することができる。つまり、アンテナ１９は靴３２の外部に固定される。これにより、アンテナ１９とアンテナ４１とが無線送受信するときの無線空間において、通信に適切な遮蔽ない環境を容易に確保できる。また、単に靴３２の外側にアンテナ１９を装着する場合と比較すると、アンテナ１９を容易に固定することができる。
【００５７】
蓄電器１４は中敷き３０に内蔵され、蓄電器１４と制御部１２（特にアンテナ１９）とは、取り外し可能な電源ケーブル１５により接続することができる。これにより、電池部１１又は制御部１２の故障時に、それぞれのパーツを個々に交換できる。さらに、電源ケーブル１５をコネクタ１６から取り外すことにより、蓄電器１４への充電が商用電力などからも可能になる。
【００５８】
蓄電器１４は、中敷き３０の後端部に内蔵されてもよい。これにより、靴３２のユーザ（特に児童）が歩く又は走るという動作を行う際に、他の場所に蓄電器１４を設ける（例えばつま先などに設ける）場合と比較して、蓄電器１４への衝撃が少なくなり、蓄電器１４の損壊の可能性を減らすことができる。
【００５９】
固定バンド部３１は靴３２から脱着可能とすることができる。これにより、ユーザは固定バンド部３１を取り除いた状態で、靴３２を容易に洗う事ができる。そのため、靴３２の衛生面を確保できる効果がある。
【００６０】
固定バンド部３１は、収縮性のある樹脂材料で形成されていてもよい。これにより、使用中の靴３２の外部へ制御部１２を装着する事が可能となるため、ユーザ側で新たに専用の靴を購入する負担を無くす事ができる。さらに、固定バンド部３１は収縮性があるため、歩行により靴３２から容易に脱げてしまうことを防ぐことができる。さらに、固定バンド部３１が樹脂材料で形成されているため、アンテナ１９を外部の衝撃から保護することもできる。なお、ＲＦ回路１７や制御回路１８を外部の衝撃から保護するためには、これらの回路も固定バンド部３１に内蔵されている方が望ましい。
【００６１】
制御部１２（特にアンテナ１９）は固定バンド部３１の後端部に内蔵されていてもよい。これにより、電池部１１と制御部１２とは、両方ともユーザのかかと付近に位置することになるため、それらを接続する電源ケーブル１５の長さを短くすることができる。これにより、電源ケーブル１５を、ユーザの歩行に支障のない長さにすることができる。さらに、電源ケーブル１５は靴３２の後端部にのみ設けられればよいため、電源ケーブル１５が前に設けられるのに比較すると、ユーザが歩行で足を動かすのに電源ケーブル１５は支障になりにくい。さらに、靴３２のユーザ（特に児童）が歩く又は走るという動作を行う際に、他の場所に制御部１２を設ける（例えばつま先などに設ける）場合と比較して、制御部１２への衝撃が少なくなり、制御部１２の損壊の可能性を減らすことができる。なお、ＲＦ回路１７や制御回路１８についても、同様の理由により、固定バンド部３１の後端部に内蔵されているのが望ましい。
【００６２】
圧電回路１３は、中敷き３１における足の踏み付け部分に内蔵されていてもよい。これにより、圧電回路１３が中敷き３１の他の箇所（例えばかかと部分）に設けられる場合と比較して、圧電回路１３にかかる力の大きさ又は力のかかる面積の少なくともいずれかを大きくすることができる。従って、圧電回路１３が発生する電流の量を多くすることができ、ユーザはより効率よく蓄電器１４の充電をすることができる。
【００６３】
なお、本発明は上記実施の形態に限られたものではなく、趣旨を逸脱しない範囲で適宜変更することが可能である。例えば、固定バンド部３１の形状及び素材は、実施の形態２に例示したものに限られない。固定バンド部３１は、収縮性のない樹脂材料で形成されていてもよいし、収縮性がある樹脂材料以外の材料で形成されていてもよい。さらに、電池部１１、制御部１２及びコネクタ１６の位置も、実施の形態２に例示したものに限られない。
【００６４】
以下、本発明の各種形態を付記する。
（付記１）
靴に設けられるＩＤタグであって、
歩行において前記靴にかかる圧力に応じて電流を発生する圧電素子と、
前記圧電素子から生じた電流により充電が行われる充電池と、
ＩＤ情報を保持するＩＤ情報保持回路と、
前記靴の外部に設けられ、前記充電池からの電力に応じて前記ＩＤ情報保持回路に保持されたＩＤ情報を無線送信するアンテナと、を備える
ＩＤタグ。
（付記２）
前記圧電素子は前記靴の中敷きに内蔵される、
付記１に記載のＩＤタグ。
（付記３）
前記靴の外部に固定された固定バンドを備え、当該固定バンドは前記アンテナを有する、
付記２に記載のＩＤタグ。
（付記４）
前記充電池は前記中敷きに設けられ、前記充電池と前記アンテナとは、取り外し可能な電源ケーブルにより接続されている、
付記３に記載のＩＤタグ。
（付記５）
前記充電池は前記中敷きの後端部に内蔵される、
付記４に記載のＩＤタグ。
（付記６）
前記固定バンドは前記靴から脱着可能である、
付記３ないし５のいずれか一項に記載のＩＤタグ。
（付記７）
前記固定バンドは、収縮性のある樹脂材料で形成される、
付記３ないし６のいずれか一項に記載のＩＤタグ。
（付記８）
付記１ないし７のいずれか一項に記載のＩＤタグを備えた靴。
（付記９）
付記１ないし７のいずれか一項に記載のＩＤタグと、
前記ＩＤタグから無線送信された前記ＩＤ情報を受信する受信装置と、を備えた
ＩＤタグシステム。
（付記１０）
靴に設けられるＩＤタグのＩＤ情報送信方法であって、
予めＩＤ情報を保持するステップと、
歩行において前記靴にかかる圧力に応じて電流を発生するステップと、
発生した電流により充電を行うステップと、
前記靴の外部に設けられたアンテナにより、充電された電力に応じて予め保持されたＩＤ情報を無線送信するステップと、を備える
ＩＤ情報送信方法。
（付記１１）
前記アンテナは前記固定バンドの後端部に内蔵される、
付記５に記載のＩＤタグ。
（付記１２）
前記圧電素子は前記中敷きにおける足の踏み付け部分に内蔵される、
付記２ないし６のいずれか一項に記載のＩＤタグ。
【符号の説明】
【００６５】
１  ＩＤタグ
２  圧電素子
３  充電池
４  ＩＤ情報保持回路
５  アンテナ
１０  アクティブタグ
１１  電池部
１２  制御部
１３  圧電回路
１４  蓄電器
１５  電源ケーブル
１６  コネクタ
１７  ＲＦ回路
１８  制御回路
１９  アンテナ
２０  圧電性素子部
２１  整流部
３０  中敷き
３１  固定バンド部
３２  靴
４０  リーダ
４１  アンテナ
４２  制御回路
５０  登下校管理システム
９０  ＩＤタグシステム
【図１】
2014230062.tif 000003
【図２】
2014230062.tif 000004
【図３】
2014230062.tif 000005
【図４Ａ】
2014230062.tif 000006
【図４Ｂ】
2014230062.tif 000007
【図５】
2014230062.tif 000008
【図６】
2014230062.tif 000009
【図７】
2014230062.tif 000010
【図８】
2014230062.tif 000011